(57)【特許請求の範囲】
【請求項１】
二次電池とヒューズをブリッジ接続法で接続して構成される安全電池ユニットであって、
直列接続されている、第１二次電池と、第２二次電池と、を含み、前記第１二次電池は、第１正極と、第１負極と、を有し、前記第２二次電池は、前記第１負極と電気的に接続している第２正極と、第２負極と、を有する第１二次電池グループと、
直列接続されている、第３二次電池と、第４二次電池と、を含み、前記第３二次電池は、第３正極と、第３負極と、を有し、前記第４二次電池は、前記第３負極と電気的に接続している第４正極と、第４負極と、を有する第２二次電池グループと、
前記第１二次電池グループと前記第２二次電池グループの間に介在してそれらをブリッジ接続しており、前記第１負極と前記第２正極の間に介在してそれらにそれぞれ電気的に接続されている第１前端部と、前記第３負極と前記第４正極の間に介在してそれらにそれぞれ電気的に接続されている第１後端部と、を有する第１ブリッジ接続ワイヤーと、
第１ヒューズと、第２ヒューズと、を含み、前記第１ヒューズは、前記第１正極又は前記第１負極と前記第１前端部の間に介在してそれらにそれぞれ電気的に接続されており、前記第２ヒューズは、前記第２負極又は前記第２正極と前記第１前端部の間に介在してそれらにそれぞれ電気的に接続されている第１ヒューズグループと、
第３ヒューズと、第４ヒューズと、を含み、前記第３ヒューズは、前記第３正極又は前記第３負極と前記第１後端部の間に介在してそれらにそれぞれ電気的に接続されており、前記第４ヒューズは、前記第４負極又は前記第４正極と前記第１後端部の間に介在してそれらにそれぞれ電気的に接続されている第２ヒューズグループと、
を含むことを特徴とする安全電池ユニット。
【請求項２】
前記第１二次電池の前記第１正極は、前記第３二次電池の前記第３正極と電気的に接続しており、前記第２二次電池の前記第２負極は、前記第４二次電池の前記第４負極と電気的に接続していることを特徴とする、請求項１に記載の安全電池ユニット。
【請求項３】
前記第１ヒューズは、前記第１負極と前記第１前端部の間に介在してそれらにそれぞれ電気的に接続されており、前記第２ヒューズは、前記第２正極と前記第１前端部の間に介在してそれらにそれぞれ電気的に接続されており、前記第３ヒューズは、前記第３負極と前記第１後端部の間に介在してそれらにそれぞれ電気的に接続されており、前記第４ヒューズは、前記第４正極と前記第１後端部の間に介在してそれらにそれぞれ電気的に接続されていることを特徴とする、請求項１に記載の安全電池ユニット。
【請求項４】
前記第１ヒューズは前記第１二次電池の前記第１正極と電気的に接続しており、前記第２ヒューズは、前記第２正極と前記第１前端部の間に介在してそれらにそれぞれ電気的に接続されており、前記第３ヒューズは前記第３二次電池の前記第３正極と電気的に接続しており、前記第４ヒューズは、前記第４正極と前記第１後端部の間に介在してそれらにそれぞれ電気的に接続されていることを特徴とする、請求項１に記載の安全電池ユニット。
【請求項５】
前記第１ヒューズは、前記第１負極と前記第１前端部の間に介在してそれらにそれぞれ電気的に接続されており、前記第２ヒューズは前記第２負極と電気的に接続しており、前記第３ヒューズは、前記第３負極と前記第１後端部の間に介在してそれらにそれぞれ電気的に接続されており、前記第４ヒューズは前記第４負極と電気的に接続していることを特徴とする、請求項１に記載の安全電池ユニット。
【請求項６】
前記第１ヒューズは前記第１二次電池の前記第１正極と電気的に接続しており、前記第２ヒューズは前記第２負極と電気的に接続しており、前記第３ヒューズは前記第３二次電池の前記第３正極と電気的に接続しており、前記第４ヒューズは前記第４負極と電気的に接続していることを特徴とする、請求項１に記載の安全電池ユニット。
【請求項７】
前記安全電池ユニットは、更に、第２ブリッジ接続ワイヤーを含み、前記第１二次電池グループは、更に、第５二次電池を含み、前記第２二次電池グループは、更に、第６二次電池を含み、前記第１ヒューズグループは、更に、第５ヒューズを含み、前記第２ヒュー.ズグループは、更に、第６ヒューズを含み、前記第５二次電池は、前記第２負極と電気的に接続している第５正極と、第５負極と、を有し、前記第６二次電池は、前記第４負極と電気的に接続している第６正極と、第６負極と、を有し、前記第２ブリッジ接続ワイヤーは、前記第１二次電池グループと前記第２二次電池グループの間に介在してそれらをブリッジ接続しており、前記第２負極と前記第５正極の間に介在してそれらにそれぞれ電気的に接続されている第２前端部と、前記第４負極と前記第６正極の間に介在してそれらにそれぞれ電気的に接続されている第２後端部と、を有し、前記第５ヒューズは、前記第５負極又は前記第５正極と前記第２前端部の間に介在してそれらにそれぞれ電気的に接続されており、前記第６ヒューズは、前記第６負極又は前記第６正極と前記第２後端部の間に介在してそれらにそれぞれ電気的に接続されていることを特徴とする、請求項１に記載の安全電池ユニット。
【請求項８】
前記第１二次電池の前記第１正極は、前記第３二次電池の前記第３正極と電気的に接続しており、前記第５二次電池の前記第５負極は、前記第６二次電池の前記第６負極と電気的に接続していることを特徴とする、請求項７に記載の安全電池ユニット。
【請求項９】
前記安全電池ユニットは、更に、第３二次電池グループと、第３ブリッジ接続ワイヤーと、第３ヒューズグループと、を含み、
前記第３二次電池グループは、直列接続されている、第７二次電池と、第８二次電池と、を含み、前記第７二次電池は、第７正極と、第７負極と、を有し、前記第８二次電池は、前記第７負極と電気的に接続している第８正極と、第８負極と、を有し、
前記第３ブリッジ接続ワイヤーは、前記第２二次電池グループと前記第３二次電池グループの間に介在してそれらをブリッジ接続しており、前記第３負極と前記第４正極の間に介在してそれらにそれぞれ電気的に接続されている第３前端部と、前記第７負極と前記第８正極の間に介在してそれらにそれぞれ電気的に接続されている第３後端部と、を有し、
前記第３ヒューズグループは、第７ヒューズと、第８ヒューズと、を含み、前記第７ヒューズは、前記第７正極又は前記第７負極と前記第３後端部の間に介在してそれらにそれぞれ電気的に接続されており、前記第８ヒューズは、前記第８負極又は前記第８正極と前記第３後端部の間に介在してそれらにそれぞれ電気的に接続されていることを特徴とする、請求項１に記載の安全電池ユニット。
【請求項１０】
前記第１二次電池の前記第１正極と前記第３二次電池の前記第３正極と前記第７二次電池の前記第７正極は電気的に接続しており、前記第２二次電池の前記第２負極と前記第４二次電池の前記第４負極と前記第８二次電池の前記第８負極は電気的に接続していることを特徴とする、請求項９に記載の安全電池ユニット。
【発明の詳細な説明】
【技術分野】
【０００１】
本発明は、二次電池に関し、特に、二次電池とヒューズをブリッジ接続法で接続して構成される安全電池ユニットに関するものである。
【背景技術】
【０００２】
現在、広汎に使用されている二次電池は、高出力電圧を得るために、多くの二次電池を直列接続して集合電池を構成することが一般的である。しかし、複数の二次電池を直列接続して構成される集合電池は、実際に使用されると、下記の欠点がある。
【０００３】
集合電池は、複数の二次電池を直列接続して構成されるため、使用の過程中に、単一の二次電池が故障したと、集合電池が使用不能となる。一方、正常な二次電池から、故障した二次電池を即時に隔離しないと、正常な二次電池も故障となり、更に、全部の二次電池が故障となる可能性がある。
【先行技術文献】
【特許文献】
【０００４】
【特許文献１】なし
【発明の概要】
【発明が解決しようとする課題】
【０００５】
本発明の主な目的は、二次電池とヒューズをブリッジ接続法で接続し、且つ各二次電池の正極及び負極にヒューズがそれぞれ設けられ、何れかの二次電池が故障して短絡したと、バイパス電路により、故障した二次電池に対応するヒューズを溶断可能であり、このように、正常な二次電池から、故障した二次電池を隔離可能であり、正常な二次電池を保護可能である安全電池ユニットを提供することにある。
【０００６】
本発明の次の目的は、単一の二次電池の故障により、電池ユニット全体が使用不能となることを回避可能である安全電池ユニットを提供することにある。
【課題を解決するための手段】
【０００７】
本発明の安全電池ユニットによると、二次電池とヒューズをブリッジ接続法で接続して構成される安全電池ユニットであって、直列接続されている、第１二次電池と、第２二次電池と、を含み、第１二次電池は、第１正極と、第１負極と、を有し、第２二次電池は、第１負極と電気的に接続している第２正極と、第２負極と、を有する第１二次電池グループと、直列接続されている、第３二次電池と、第４二次電池と、を含み、第３二次電池は、第３正極と、第３負極と、を有し、第４二次電池は、第３負極と電気的に接続している第４正極と、第４負極と、を有する第２二次電池グループと、第１二次電池グループと第２二次電池グループの間に介在してそれらをブリッジ接続しており、第１負極と第２正極の間に介在してそれらにそれぞれ電気的に接続されている第１前端部と、第３負極と第４正極の間に介在してそれらにそれぞれ電気的に接続されている第１後端部と、を有する第１ブリッジ接続ワイヤーと、第１ヒューズと、第２ヒューズと、を含み、第１ヒューズは、第１正極又は第１負極と第１前端部の間に介在してそれらにそれぞれ電気的に接続されており、第２ヒューズは、第２負極又は第２正極と第１前端部の間に介在してそれらにそれぞれ電気的に接続されている第１ヒューズグループと、第３ヒューズと、第４ヒューズと、を含み、第３ヒューズは、第３正極又は第３負極と第１後端部の間に介在してそれらにそれぞれ電気的に接続されており、第４ヒューズは、第４負極又は第４正極と第１後端部の間に介在してそれらにそれぞれ電気的に接続されている第２ヒューズグループと、を含むことを特徴とする。
【０００８】
本発明の安全電池ユニットによると、第１二次電池の第１正極は、第３二次電池の第３正極と電気的に接続しており、第２二次電池の第２負極は、第４二次電池の第４負極と電気的に接続していることを特徴とする。
【０００９】
本発明の安全電池ユニットによると、第１ヒューズは、第１負極と第１前端部の間に介在してそれらにそれぞれ電気的に接続されており、第２ヒューズは、第２正極と第１1前端部の間に介在してそれらにそれぞれ電気的に接続されており、第３ヒューズは、第３負極と第１後端部の間に介在してそれらにそれぞれ電気的に接続されており、第４ヒューズは、第４正極と第１後端部の間に介在してそれらにそれぞれ電気的に接続されていることを特徴とする。
【００１０】
本発明の安全電池ユニットによると、第１ヒューズは第１二次電池の第１正極と電気的に接続しており、第２ヒューズは、第２正極と第１前端部の間に介在してそれらにそれぞれ電気的に接続されており、第３ヒューズは第３二次電池の第３正極と電気的に接続しており、第４ヒューズは、第４正極と第１後端部の間に介在してそれらにそれぞれ電気的に接続されていることを特徴とする。
【００１１】
本発明の安全電池ユニットによると、第１ヒューズは、第１負極と第１前端部の間に介在してそれらにそれぞれ電気的に接続されており、第２ヒューズは第２負極と電気的に接続しており、第３ヒューズは、第３負極と第１後端部の間に介在してそれらにそれぞれ電気的に接続されており、第４ヒューズは第４負極と電気的に接続していることを特徴とする。
【００１２】
本発明の安全電池ユニットによると、第１ヒューズは第１二次電池の第１正極と電気的に接続しており、第２ヒューズは第２負極と電気的に接続しており、第３ヒューズは第３二次電池の第３正極と電気的に接続しており、第４ヒューズは第４負極と電気的に接続していることを特徴とする。
【００１３】
本発明の安全電池ユニットによると、更に、第２ブリッジ接続ワイヤーを含み、第１二次電池グループは、更に、第５二次電池を含み、第２二次電池グループは、更に、第６二次電池を含み、第１ヒューズグループは、更に、第５ヒューズを含み、第２ヒューズグループは、更に、第６ヒューズを含み、第５二次電池は、第２負極と電気的に接続している第５正極と、第５負極と、を有し、第６二次電池は、第４負極と電気的に接続している第６正極と、第６負極と、を有し、第２ブリッジ接続ワイヤーは、第１二次電池グループと第２二次電池グループの間に介在してそれらをブリッジ接続しており、第２負極と第５正極の間に介在してそれらにそれぞれ電気的に接続されている第２前端部と、第４負極と第６正極の間に介在してそれらにそれぞれ電気的に接続されている第２後端部と、を有し、第５ヒューズは、第５負極又は第５正極と第２前端部の間に介在してそれらにそれぞれ電気的に接続されており、第６ヒューズは、第６負極又は第６正極と第２後端部の間に介在してそれらにそれぞれ電気的に接続されていることを特徴とする。
【００１４】
本発明の安全電池ユニットによると、第１二次電池の第１正極は、第３二次電池の第３正極と電気的に接続しており、第５二次電池の第５負極は、第６二次電池の第６負極と電気的に接続していることを特徴とする。
【００１５】
本発明の安全電池ユニットによると、更に、第３二次電池グループと、第３ブリッジ接続ワイヤーと、第３ヒューズグループと、を含み、第３二次電池グループは、直列接続されている、第７二次電池と、第８二次電池と、を含み、第７二次電池は、第７正極と、第７負極と、を有し、第８二次電池は、第７負極と電気的に接続している第８正極と、第８負極と、を有し、第３ブリッジ接続ワイヤーは、第２二次電池グループと第３二次電池グループの間に介在してそれらをブリッジ接続しており、第３負極と第４正極の間に介在してそれらにそれぞれ電気的に接続されている第３前端部と、第７負極と第８正極の間に介在してそれらにそれぞれ電気的に接続されている第３後端部と、を有し、第３ヒューズグループは、第７ヒューズと、第８ヒューズと、を含み、第７ヒューズは、第７正極又は第７負極と第３後端部の間に介在してそれらにそれぞれ電気的に接続されており、第８ヒューズは、第８負極又は第８正極と第３後端部の間に介在してそれらにそれぞれ電気的に接続されていることを特徴とする。
【００１６】
本発明の安全電池ユニットによると、第１二次電池の第１正極と第３二次電池の第３正極と第７二次電池の第７正極は電気的に接続しており、第２二次電池の第２負極と第４二次電池の第４負極と第８二次電池の第８負極は電気的に接続していることを特徴とする。
【発明の効果】
【００１７】
本発明の安全電池ユニットによれば、次のような効果がある。
（１）二次電池とヒューズをブリッジ接続法で接続し、且つ各二次電池の正極及び負極にヒューズがそれぞれ設けられ、何れかの二次電池が故障して短絡した、バイパス電路により、故障した二次電池に対応するヒューズを溶断可能であり、このように、正常な二次電池から、故障した二次電池を隔離可能であり、正常な二次電池を保護可能である。
【００１８】
（２）単一の二次電池の故障により、電池ユニット全体が使用不能となることを回避可能である。
【図面の簡単な説明】
【００１９】
【図１】本発明の実施例１を示す模式図である。
【図２】本発明の実施例２を示す模式図である。
【図３】本発明の実施例３を示す模式図である。
【図４】本発明の実施例４を示す模式図である。
【図５】本発明の実施例５を示す模式図である。
【図６】本発明の実施例６を示す模式図である。
【発明を実施するための形態】
【００２０】
以下、本発明の実施の形態を図面に基づいて説明する。
【実施例１】
【００２１】
図１を参照する。図１は本発明の実施例１を示す模式図である。本発明の実施例１の安全電池ユニットは、第１二次電池グループ１０と、第２二次電池グループ２０と、第１ブリッジ接続ワイヤー３０と、第１ヒューズグループ４０と、第２ヒューズグループ５０と、から構成される。
【００２２】
第１二次電池グループ１０は、直列接続されている、第１二次電池１１と、第２二次電池１２と、を含む。第１二次電池１１は、第１正極１１１と、第１負極１１２と、を有する。第２二次電池１２は、第１負極１１２と電気的に接続している第２正極１２１と、第２負極１２２と、を有する。
【００２３】
第２二次電池グループ２０は、直列接続されている、第３二次電池２１と、第４二次電池２２と、を含む。第３二次電池２１は、第１正極１１１と電気的に接続している第３正極２１１と、第３負極２１２と、を有する。第４二次電池２２は、第３負極２１２と電気的に接続している第４正極２２１と、第２負極１２２と電気的に接続している第４負極２2２と、を有する第３正極２１１は電池ユニットの正極出力端とされ、第４負極２２２は電池ユニットの負極出力端とされる。
【００２４】
第１ブリッジ接続ワイヤー３０は、第１二次電池グループ１０と第２二次電池グループ２０の間に介在してそれらをブリッジ接続しており、第１負極１１２と第２正極１２１の間に介在してそれらにそれぞれ電気的に接続iされている第１前端部３１と、第３負極２１２と第４正極２２１の間に介在してそれらにそれぞれ電気的に接続されている第１後端部３２と、を有する。
【００２５】
第１ヒューズグループ４０は、第１ヒューズ４１と、第２ヒューズ４２と、を含む。第１ヒューズ４１は、第１負極１１２と第１前端部３１の間に介在してそれらにそれぞれ電気的に接続されている。第２ヒューズ４２は、第２正極１２１と第１前端部３１の間に介在してそれらにそれぞれ電気的に接続されている。
【００２６】
第２ヒューズグループ５０は、第３ヒューズ５１と、第４ヒューズ５２と、を含む。第３ヒューズ５１は、第３負極２１２と第１後端部３２の間に介在してそれらにそれぞれ電気的に接続されている。第４ヒューズ５２は、第４正極２２１と第１後端部３２の間に介在してそれらにそれぞれ電気的に接続されている。
【００２７】
上記は本発明の実施例１の主な部材の構成及び態様の説明であり、二次電池とヒューズをブリッジ接続法で接続する他、各二次電池の正極と負極とにヒューズがそれぞれ設けられる。
【００２８】
本実施例では、第１ブリッジ接続ワイヤー３０は、第１二次電池グループ１０と第２二次電池グループ２０の間に介在してそれらをブリッジ接続しており、電気回路が構成されるため、第１二次電池グループ１０における第１二次電池１１又は第２二次電池１１のうちの一つ又は全部が故障して短絡し、或いは第２二次電池グループ２０における第３二次電池２１又は第４二次電池２２のうちの一つ又は全部が故障して短絡して、極めて大きい電流が生じるときには、当該電流の電流値が、故障した二次電池に対応するヒューズの定格電流値を超える場合に、当該ヒューズが溶断されて、正常な二次電池から、故障した二次電池を隔離可能であり、正常な二次電池を保護可能である。
【００２９】
また、第１ブリッジ接続ワイヤー３０は、第１二次電池グループ１０と第２二次電池グループ２０の間に介在してそれらをブリッジ接続しており、電気回路が構成されるため、第１二次電池グループ１０における第１二次電池１１又は第２二次電池１１、或いは第２二次電池グループ２０における第３二次電池２１又は第４二次電池２２のうちの一つが故障して短絡する場合には、故障していない二次電池グループ、すなわち、故障していない二次電池により、電力を出力可能である。例えば第１二次電池１１が故障して短絡する場合には、第２二次電池グループ２０の電力を出力する他、第２二次電池１２は、第１ブリッジ接続ワイヤー３０によって第２二次電池グループ２０と電気的に接続しているため、電力を出力可能である。このように、単一の二次電池の故障により、電池ユニット全体が使用不能となることを回避可能である。
【実施例２】
【００３０】
図２を参照する。図２は本発明の実施例２を示す模式図である。実施例２が実施例１と相違する点は、第１ヒューズグループ４０と第２ヒューズグループ５０との配置にあり、すなわち、第１ヒューズ４１が第１二次電池１１の第１正極１１１と電気的に接続しており、第３ヒューズ５１が第３二次電池２１の第３正極２１１と電気的に接続している。
【実施例３】
【００３１】
図３は本発明の実施例３を示す模式図である、実施例３が実施例１と相違する点は、第１ヒューズグループ４０と第２ヒューズグループ５０との配置にあり、すなわち、第２ヒューズ４２が第２二次電池１２の第２負極１２２と電気的に接続しており、第４ヒューズ５２が第４二次電池２２の第４負極２２２と電気的に接続している。
【実施例４】
【００３２】
図４は本発明の実施例４を示す模式図である。実施例４が実施例１と相違する点は、第１ヒューズグループ４０と第２ヒューズグループ５０との配置にあり、すなわち、第１ヒューズ４１が第１二次電池１１の第１正極１１１と電気的に接続しており、第２ヒューズ４２が第２二次電池１２の第２負極１２２と電気的に接続しており、第３ヒューズ５１が第３二次電池２１の第３正極２１１と電気的に接続しており、第４ヒューズ５２が第４二次電池２２の第４負極２２２と電気的に接続している。
【実施例５】
【００３３】
図５は本発明の実施例５を示す模式図である。実施例５が実施例１と相違する点は、電池ユニットは、更に、第２ブリッジ接続ワイヤー６０を含み、第１二次電池グループ１０は、更に、第５二次電池１３を含み、第２二次電池グループ２０は、更に、第６二次電池２３を含み、第１ヒューズグループ４０は、更に、第５ヒューズ４３を含み、第２ヒューズグループ５０は、更に、第６ヒューズ５３を含むことにある。
【００３４】
第５二次電池１３は、第２負極１２２と電気的に接続している第５正極１３１と、第５負極１３２と、を有する。
【００３５】
第６二次電池２３は、第４負極２２２と電気的に接続している第６正極２３１と、第５負極１３２と電気的に接続している第６負極２３２と、を有する。第６負極２３２は電池ユニットの負極出力端とされる。
【００３６】
第２ブリッジ接続ワイヤー６０は、第１二次電池グループ１０と第２二次電池グループ２０の間に介在してそれらをブリッジ接続しており、第２負極１２２と第５正極１３１の間に介在してそれらにそれぞれ電気的に接続されている第２前端部６１と、第４負極２２２と第６正極２３１の間に介在してそれらにそれぞれ電気的に接続されている第２後端部６２と、を有する。このように、第２ヒューズ４２は第２負極１２２と第２前端部６１の間に位置し、第４ヒューズ５２は第４負極２２２と第２後端部６２の間に位置する。
【００３７】
第５ヒューズ４３は、第５負極１３２又は第５正極１３１と第２前端部６１の間に介在してそれらにそれぞれ電気的に接続されており(図示せず)、第６ヒューズ５３は、第６負極２３２又は第６正極２３１と第２後端部６１の間に介在してそれらにそれぞれ電気的に接続されている(図示せず)。
【００３８】
本実施例は、実施例1と同じ効果を有すると共に、電池ユニットの電圧を増加可能である。
【実施例６】
【００３９】
図６は本発明の実施例６を示す模式図である。実施例６が実施例1と相違する点は、電池ユニットは、更に、第３二次電池グループ７０と、第３ブリッジ接続ワイヤー８０と、第３ヒューズグループ９０と、を含むことにある。
【００４０】
第３二次電池グループ７０は、直列接続されている、第７二次電池７１と、第８二次電池７２と、を含む。第７二次電池７１は、第３正極２１１と電気的に接続している第７正極７１１と、第７負極７１２と、を有する。第８二次電池７２は、第７負極７１２と電気的に接続している第８正極７２１と、第４負極２２２と電気的に接続している第８負極７２２と、を有する。
【００４１】
第３ブリッジ接続ワイヤー８０は、第２二次電池グループ２０と第３二次電池グループ７０の間に介在してそれらをブリッジ接続しており、第３負極２１２と第４正極２２１の間に介在してそれらにそれぞれ電気的に接続されている第３前端部８１と、第７負極７１２と第８正極７２１の間に介在してそれらにそれぞれ電気的に接続されている第３後端部８２と、を有する。
【００４２】
第３ヒューズグループ９０は、第７ヒューズ９１と、第８ヒューズ９２と、を含む。第７ヒューズ９１は、第７負極７１２又は第７正極７１１と第３後端部８２の間に介在してそれらにそれぞれ電気的に接続されており(図示せず)、第８ヒューズ９２は、第８正極７２１又は第８負極７２２と第３後端部８２の間に介在してそれらにそれぞれ電気的に接続されている(図示せず)。
【００４３】
本実施例は、実施例1と同じ効果を有すると共に、電池ユニットの電気量を増加可能である。
【産業上の利用可能性】
【００４４】
本発明は、二次電池ユニットに適用することができる。
【符号の説明】
【００４５】
１０：第１二次電池グループ
１１：第１二次電池
１２：第２二次電池
１３：第５二次電池
２０：第２二次電池グループ
２１：第３二次電池
２２：第４二次電池
２３：第６二次電池
３０：第１ブリッジ接続ワイヤー
３１：第１前端部
３２：第１後端部
４０：第１ヒューズグループ
４１：第１ヒューズ
４２：第２ヒューズ
４３：第５ヒューズ
５０：第２ヒューズグループ
５１：第３ヒューズ
５２：第４ヒューズ
５３：第６ヒューズ
６０：第２ブリッジ接続ワイヤー
６１：第２前端部
６２：第２後端部
７０：第３二次電池グループ
７１：第７二次電池
７２：第８二次電池
８０：第３ブリッジ接続ワイヤー
８１：第３前端部
８２：第３後端部
９０：第３ヒューズグループ
９１：第７ヒューズ
９２：第８ヒューズ
１１１：第１正極
１１２：第１負極
１２１：第２正極
１２２：第２負極
１３１：第５正極
１３２：第５負極
２１１：第３正極
２１２：第３負極
２２１：第４正極
２２２：第４負極
２３１：第６正極
２３２：第６負極
７１１：第７正極
７１２：第７負極
７２１：第８正極
７２２：第８負極
【図１】
0005551799.tif 000002
【図２】
0005551799.tif 000003
【図３】
0005551799.tif 000004
【図４】
0005551799.tif 000005
【図５】
0005551799.tif 000006
【図６】
0005551799.tif 000007